(57)【要約】【課題】本発明はマルチアングルスキャナーによる実物の商品のデータを活用して、印刷手法を用いていながら実物の商品と違和感のない商品カタログを提供することを課題とする。【解決手段】商品見本などを印刷で表現した商品カタログにおいて、商品見本のマルチアングルスキャナーによる画像データが、７５度鏡面光沢度で４０％以下の紙に印刷されていることを特徴とする商品カタログであり、マルチアングルスキャナーによる画像データを用いて印刷した部分のほかに、一部に実物見本も貼り付けられていることを特徴とする請求項１に記載の商品カタログである。【選択図】図１
2016139013.tif 000002
【特許請求の範囲】
【請求項１】
商品見本などを印刷で表現した商品カタログにおいて、商品見本のマルチアングルスキャナーによる画像データが、７５度鏡面光沢度で４０％以下の紙に印刷されていることを特徴とする商品カタログ。
【請求項２】
前記カタログにおいて、マルチアングルスキャナーによる画像データを用いて印刷した部分のほかに、一部に実物見本も貼り付けられていることを特徴とする請求項１に記載の商品カタログ。
【請求項３】
前記画像データには、商品見本の影のデータが含まれていることを特徴とする請求項１又は請求項２に記載の商品カタログ。
【発明の詳細な説明】
【技術分野】
【０００１】
本発明は商品カタログに関するものである。特にマルチアングルスキャナーによるデータを利用して、商品見本をよりリアルな表現で印刷した商品カタログに関するものである。
【背景技術】
【０００２】
現代社会において、生活上のすべての購買、消費行動が対面販売によっているわけではなく、洋服や家庭用品が商品カタログによる通信販売によって注文できることはすでに市民権を得ていることに加えて、最近ではインターネットによる通信販売も急速に広まってきている。ギフトの場合においてもカタログギフトという形で、消費者の好みをより細かく反映できる形態へと変化してきている。
【０００３】
また住宅、家具、車などの耐久消費材の販売の場面においても、内外装の色や柄を商品カタログによって消費者が好みのものをオプションとして自由に選択できるような販売形態が広く普及している。
【０００４】
従来布地、壁紙、化粧シート、化粧紙などデザインに価値があって、また質感が重要視される商品カタログは見本帳などとも呼ばれ、実物をサンプルサイズに切ったものを貼り付けていることが多かった。これは従来は印刷では質感や立体感の表現が充分ではなかったことに加えて、手触り感など実物でなくては得られない情報も重視されてきた結果である。
【０００５】
しかしながら、実物を貼り付けた商品カタログは、その製作にコストがかかる上に、かさばることが避けられず、持ち運ぶにも不便で、また不要になって廃棄する際にも環境への影響が無視できなかった。
【０００６】
近年、たとえば特許文献１に示されたようなマルチアングルスキャナーが開発されて、立体感がある印刷物が可能になってきたが、必ずしも実物のざらつき感、光沢感、陰影などの質感において充分とはいえず、特に商品カタログ分野では十分に活用されているとはいえない状態であった。
【先行技術文献】
【特許文献】
【０００７】
【特許文献１】特開２００５−３３１９３４号公報
【発明の概要】
【発明が解決しようとする課題】
【０００８】
このような状況に鑑みて、本発明はマルチアングルスキャナーによる実物の商品のデータを活用して、印刷手法を用いていながら実物の商品と違和感のない商品カタログを提供することを課題とする。
【課題を解決するための手段】
【０００９】
上記の課題を解決するための手段として、請求項１に記載の発明は、商品見本などを印刷で表現した商品カタログにおいて、商品見本のマルチアングルスキャナーによる画像データが、７５度鏡面光沢度で４０％以下の紙に印刷されていることを特徴とする商品カタログである。
【００１０】
また、請求項２に記載の発明は、前記カタログにおいて、マルチアングルスキャナーによる画像データを用いて印刷した部分のほかに、一部に実物見本も貼り付けられていることを特徴とする請求項１に記載の商品カタログである。
【００１１】
また、請求項３に記載の発明は、前記画像データには、商品見本の影のデータが含まれていることを特徴とする請求項１又は請求項２に記載の商品カタログである。
【発明の効果】
【００１２】
本発明によればマルチアングルスキャナーによる実物の商品のデータを活用して、印刷手法を用いていながら実物の商品と違和感のない商品カタログを提供することが可能である。
【００１３】
また請求項２に記載の発明によれば、印刷によってよりリアルな質感と立体感を持った商品カタログであって、なおかつ実際の商品に触れて見ることのできる商品カタログを提供することが可能である。
【００１４】
また請求項３に記載の発明によれば、影によってより立体感のある商品カタログを提供することが可能になる。
【図面の簡単な説明】
【００１５】
【図１】図１は本発明に係る、商品カタログの一実施形態の一部を示した説明用模式図である。
【発明を実施するための形態】
【００１６】
以下本発明を実施するための形態について図を参照しながら詳細な説明を加える。
【００１７】
マルチアングルスキャナーは、被写体に対して走査光を照射する光源および反射光を読み取るラインＣＣＤとを備え、被写体の被走査面と読み取り光学系の光軸を自在に変化させてデータをとることができる。
【００１８】
人の目が両眼で物を捕らえ、立体的に表面を観察したり斜めから見たりして、微妙な凹凸、陰影、光沢感、ざらつき感を捉えることができることに共通するスキャン方式である。
【００１９】
そのため被写体の凹凸感、ざらつき感、光沢感、陰影などリアルな質感を表現するデータをとることが可能になる。
【００２０】
図１は本発明に係る、商品カタログの一実施形態の一部を示した模式図である。
【００２１】
商品カタログ（１）には、マルチアングルスキャナーによる商品見本のデータを活用して、被写体の凹凸感、ざらつき感、光沢感、陰影などリアルな質感を印刷によって表現した印刷による商品見本（２）を掲載してある。さらに視覚的に立体感をリアルに感じさせるために、影（３）の表現を加えても良い。
【００２２】
本発明においては、印刷を施す紙について鋭意検討を加えた結果、我々は商品見本のマルチアングルスキャナーによる画像データが、７５度鏡面光沢度で４０％以下、より好ましくは２０％〜１％の紙に印刷されていることが必要であることを見出した。
【００２３】
この７５度鏡面光沢度の範囲において、印刷による商品見本（２）は被写体の凹凸感、ざらつき感、光沢感、陰影などリアルな質感を表現することができる。印刷物が実物の商
品と比べ違和感のないリアルな表現であることによって、実物見本を使わないで商品カタログを構成することが可能になる。
【００２４】
７５度鏡面光沢度が４０％以下である紙は、紙そのものの表面が７５度鏡面光沢度で４０％以下であっても良く、あるいは表面にコーティングを施した紙の表面が７５度鏡面光沢度で４０％以下のものを用いるのでも良い。
【００２５】
一方で、商品カタログの中に一部実物見本（４）を貼り付けるなどして添付することもできる。こうすることによって、印刷だけでは十分に表現しきれない、たとえば微妙な手触り、触感などを、実物見本（４）によって補うことが可能になる。
【００２６】
この場合においても、印刷による商品見本（２）によって、実物見本（４）の数量、比率を大幅に削減し、コストの問題、かさばることの問題、持ち運びの問題、また不要になって廃棄する際の環境への影響の問題も大幅に改善することができる。
【００２７】
商品見本のマルチアングルスキャナーによる画像データを用いて印刷用の版を作成し、あるいは印刷用のデータを作成し、印刷工程を経て商品カタログとしての印刷物を作成する。
【００２８】
商品見本のマルチアングルスキャナーによる画像データを用いた印刷については、特にその方式を限定するものではないが、たとえばグラビア印刷方式、オフセット印刷方式、インクジェット印刷方式などを用いることができる。
【００２９】
このようにして本発明によって、マルチアングルスキャナーによる実物の商品のデータを活用して、印刷手法を用いていながら実物の商品と違和感のない商品カタログを提供することが可能となる。
【実施例】
【００３０】
以下本発明について実施例に基づいてさらに具体的に説明を加える。ただし本発明はこれらの例にのみ限定されるものではない。
【００３１】
＜実施例１＞
マルチアングルスキャナーを用いて得られたデータをもとに下記の用紙を使用して布地の商品カタログを製作した。
７５度鏡面光沢度２０％の紙を使用した。
鏡面光沢度はＪＩＳＺ８７４１に基づいて、日本電色工業株式会社製ハンディー光沢計「ＰＧ−１」を用いて測定した。
【００３２】
＜実施例２＞
マルチアングルスキャナーを用いて得られたデータをもとに下記の用紙を使用して布地の商品カタログを製作した。
７５度鏡面光沢度１５％の紙を使用した。
鏡面光沢度はＪＩＳＺ８７４１に基づいて、日本電色工業株式会社製ハンディー光沢計「ＰＧ−１」を用いて測定した。
【００３３】
＜実施例３＞
マルチアングルスキャナーを用いて得られたデータをもとに下記の用紙を使用して布地の商品カタログを製作した。
７５度鏡面光沢度１０％の紙を使用した。
鏡面光沢度はＪＩＳＺ８７４１に基づいて、日本電色工業株式会社製ハンディー光沢計「
ＰＧ−１」を用いて測定した。
【００３４】
＜実施例４＞
マルチアングルスキャナーを用いて得られたデータをもとに下記の用紙を使用して布地の商品カタログを製作した。
７５度鏡面光沢度５％の紙を使用した。
鏡面光沢度はＪＩＳＺ８７４１に基づいて、日本電色工業株式会社製ハンディー光沢計「ＰＧ−１」を用いて測定した。
【００３５】
＜実施例５＞
マルチアングルスキャナーを用いて得られたデータをもとに下記の用紙を使用して布地の商品カタログを製作した。
７５度鏡面光沢度１％の紙を使用した。
鏡面光沢度はＪＩＳＺ８７４１に基づいて、日本電色工業株式会社製ハンディー光沢計「ＰＧ−１」を用いて測定した。
【００３６】
＜実施例６＞
マルチアングルスキャナーを用いて得られたデータをもとに下記の用紙を使用して布地の商品カタログを製作した。
７５度鏡面光沢度２５％の紙を使用した。
鏡面光沢度はＪＩＳＺ８７４１に基づいて、日本電色工業株式会社製ハンディー光沢計「ＰＧ−１」を用いて測定した。
【００３７】
＜実施例７＞
マルチアングルスキャナーを用いて得られたデータをもとに下記の用紙を使用して布地の商品カタログを製作した。
７５度鏡面光沢度３０％の紙を使用した。
鏡面光沢度はＪＩＳＺ８７４１に基づいて、日本電色工業株式会社製ハンディー光沢計「ＰＧ−１」を用いて測定した。
【００３８】
＜実施例８＞
マルチアングルスキャナーを用いて得られたデータをもとに下記の用紙を使用して布地の商品カタログを製作した。
７５度鏡面光沢度３５％の紙を使用した。
鏡面光沢度はＪＩＳＺ８７４１に基づいて、日本電色工業株式会社製ハンディー光沢計「ＰＧ−１」を用いて測定した。
【００３９】
＜実施例９＞
マルチアングルスキャナーを用いて得られたデータをもとに下記の用紙を使用して布地の商品カタログを製作した。
７５度鏡面光沢度４０％の紙を使用した。
鏡面光沢度はＪＩＳＺ８７４１に基づいて、日本電色工業株式会社製ハンディー光沢計「ＰＧ−１」を用いて測定した。
【００４０】
＜比較例１＞
マルチアングルスキャナーを用いて得られたデータをもとに下記の用紙を使用して布地の商品カタログを製作した。
７５度鏡面光沢度５０％の紙を使用した。
鏡面光沢度はＪＩＳＺ８７４１に基づいて、日本電色工業株式会社製ハンディー光沢計「ＰＧ−１」を用いて測定した。
【００４１】
＜比較例２＞
マルチアングルスキャナーを用いて得られたデータをもとに下記の用紙を使用して布地の商品カタログを製作した。
７５度鏡面光沢度６０％の紙を使用した。
鏡面光沢度はＪＩＳＺ８７４１に基づいて、日本電色工業株式会社製ハンディー光沢計「ＰＧ−１」を用いて測定した。
【００４２】
＜比較例３＞
マルチアングルスキャナーを用いて得られたデータをもとに下記の用紙を使用して布地の商品カタログを製作した。
７５度鏡面光沢度７０％の紙を使用した。
鏡面光沢度はＪＩＳＺ８７４１に基づいて、日本電色工業株式会社製ハンディー光沢計「ＰＧ−１」を用いて測定した。
【００４３】
＜比較例４＞
マルチアングルスキャナーを用いて得られたデータをもとに下記の用紙を使用して布地の商品カタログを製作した。
７５度鏡面光沢度８０％の紙を使用した。
鏡面光沢度はＪＩＳＺ８７４１に基づいて、日本電色工業株式会社製ハンディー光沢計「ＰＧ−１」を用いて測定した。
【００４４】
＜比較例５＞
マルチアングルスキャナーを用いて得られたデータをもとに下記の用紙を使用して布地の商品カタログを製作した。
７５度鏡面光沢度９０％の紙を使用した。
鏡面光沢度はＪＩＳＺ８７４１に基づいて、日本電色工業株式会社製ハンディー光沢計「ＰＧ−１」を用いて測定した。
【００４５】
＜評価方法＞
実施例１〜実施例９、比較例１〜比較例５によって製造した商品カタログを成人男女３０名に目視で確認してもらい、実物と印刷物とを比較して違和感があるかどうか確認してもらった。
【００４６】
＜評価基準＞
評価基準は、
違和感がないとした人が８０％を超えた場合：○
違和感がないとした人が８０％以下、５０％以上である場合：△
違和感がないとした人が５０％未満の場合：×
とした。
【００４７】
＜評価結果＞
評価結果を表１に示した。
【００４８】
【表１】
2016139013.tif 000003
【００４９】
表１に示した結果から明らかなように、７５度鏡面光沢度は４０％以下である実施例１〜実施例９の場合には、半数を超える人が違和感がないと回答している。なかでも７５度鏡面光沢度が２０％以下である実施例１〜実施例５の場合には、８０％を超える人が違和感がないと回答している。過半数の人が違和感がないと回答していることは、商品カタログとして実用可能な範囲と考えられる。
【００５０】
比較例１〜比較例５で用いた用紙は７５度鏡面光沢度が４０％を超えており、光沢のために実物の商品との違和感がよりはっきりと認識されたと考えられる。
【００５１】
このことから、本発明によれば過半数の人が違和感のないとする商品カタログを提供することが可能である。すなわち本発明によってマルチアングルスキャナーによる実物の商品のデータを活用して、印刷手法を用いていながら実物の商品と違和感のない商品カタログを提供することが可能であることを検証することができた。
【産業上の利用可能性】
【００５２】
本発明によれば、商品カタログを実物の商品と違和感なく印刷手法を用いて表現できることから、美術品や工芸品についても同様にマルチアングルスキャナーによるデータを用いた印刷によって、よりリアルに表現することが可能になる。単に美術品や工芸品のガイドブックとしてのみならず、レプリカとしての展示にも用途展開が可能であり、さらには教育や研究用途にも用途展開を図ることが可能である。
【符号の説明】
【００５３】
１・・・商品カタログ
２・・・印刷による商品見本
３・・・影
４・・・実物見本
【図１】
2016139013.tif 000004